(57)【要約】画像を表示する方法及びシステム、及び、使用される画像表示装置が詳述される。例えば投影機等の画像表示装置は、例えばパワーポイント形式のような望ましくはプレゼンテーション・ファイルである画像を画像表示装置が生成し、また、対応する画像を再生及び表示するように、例えばＰＤＡ等の携帯用装置によって制御される。表示された画像の表現は、画像が表示される携帯用装置に送信される。
2005538638.tif 000002
【特許請求の範囲】
【請求項１】
携帯用装置が画像表示装置にワイヤレスで接続され、
前記携帯用装置は、画像が前記画像表示装置のディスプレイ・ユニットによって表示されるよう前記画像表示装置の再生ユニットを制御し、
前記ディスプレイ・ユニットによって表示された画像の表現は、携帯用装置に送信されディスプレイ・ユニットによって表示される、
画像を表示するシステム。
【請求項２】
前記再生ユニットは、複数の連続する画像からなるプレゼンテーション形式でのデータを再生するよう設けられ、
前記携帯用装置は、ある画像から次の画像への移行を予め決定する、
前記請求項１記載のシステム。
【請求項３】
前記画像装置はネットワークに接続され、
前記携帯用装置は前記ネットワーク内のデータのアドレスを前記再生ユニットへ送信し、
前記再生ユニットは前記ネットワークを介して前記データを読み取る、請求項１又は２記載のシステム。
【請求項４】
前記データは前記携帯用装置又は前記ネットワークに接続された更なる装置に格納される、請求項３記載のシステム。
【請求項５】
前記再生ユニットは、複数のプレゼンテーションの画像が、互いに重なって及び／又は並んで同時に表示されるよう制御される、請求項１乃至４のうちいずれか一項記載のシステム。
【請求項６】
前記画像表示装置はネットワークに有線接続されている、請求項１乃至５のうちいずれか一項記載のシステム。
【請求項７】
前記携帯用装置は少なくとも前記ディスプレイ・ユニット、メモリ、中央ユニット、及び入力手段を有する、請求項１乃至６のうちいずれか一項記載のシステム。
【請求項８】
前記ディスプレイ・ユニットは投影面上に画像を投影する装置を有する、請求項１乃至６のうちいずれか一項記載のシステム。
【請求項９】
請求項１乃至８のうちいずれか一項記載のシステムで使用される画像表示装置であって、
プレゼンテーションのデータを処理し、そこから画像を生成する再生ユニットと、
画像を表示するディスプレイ・ユニットと、
データを入力及び出力するためのワイヤレス・インターフェースとを有し、
前記ディスプレイ・ユニットが表示した画像の表現が生成され、前記インターフェイスを介して出力されるよう設計されている、画像表示装置。
【請求項１０】
画像表示装置の再生ユニットは、画像が前記画像表示装置のディスプレイ・ユニットによって表示されるよう携帯用装置によって制御され、
前記ディスプレイ・ユニットによって表示された画像の表現は、前記画像表示装置からディスプレイ・ユニットによって表示される前記携帯用装置に送信される、画像を表示する方法。
【発明の詳細な説明】
【技術分野】
【０００１】
本発明は、画像を表示するシステム及び方法と、かかるシステムで使用される画像表示装置とに係る。
【背景技術】
【０００２】
近年では、プレゼンテーションに使用される紙又はスライドの代わりに、連続画像の形式によるプレゼンテーションがコンピュータを使用して作成及び再生されることが多い。例えば、この目的のためにパワーポイント（登録商標）が周知であり、パワーポイントを使用してプレゼンテーション・ファイルを作成・再生できる。画像は、例えばコンピュータの画面上又はコンピュータ制御された投影機上に表示される。
【０００３】
最新の投影機はすでに、プレゼンテーションを再生する内蔵能力を有している。ＳＯＮＹのデータシート“ＬＣＤ  Ｄａｔａ  Ｐｒｏｊｅｃｔｏｒ  ＶＰＬ−ＰＸ  １５／ＰＸ  １０／ＰＳ  １０”では、投影機は、ネットワーク接続を有し、且つ、ネットワーク上で提示されたファイルを読み取ることができ、投影機自体の再生プログラムを使用して再生ができる、と表現されている。これらの投影機はまた、ワイヤレスインターフェイスを有しているため、携帯用装置（ノートブック型コンピュータ）を使用してワイヤレス（アドホック）のネットワーク上で使用することができる。
【発明の開示】
【発明が解決しようとする課題】
【０００４】
本発明は、これに基づき、画像を表示する方法とシステム、及び、画像表示装置でのプレゼンテーションの再生が非常に快適な方法で実行されうる画像表示装置の提案をすることを目的とする。
【課題を解決するための手段】
【０００５】
この目的は、請求項１記載のシステムと、このシステムに使用されている請求項９記載の画像表示装置と、請求項１０に記載の方法とによって解決される。従属項は、本発明を実施するための最良の形態に基づく。
【０００６】
本発明によるシステムの構成要素は、画像表示装置と携帯用装置とである。画像表示装置とは、例えばディスプレイ画面又は画像表示用の他の機器でありうる。遠隔投影面上に画像を表示する投影機が、望ましくは提案される。画像表示装置は、画像を表示するディスプレイ・ユニットと、ディスプレイ・ユニットによって表示された画像を生成する再生ユニットとを有する。再生ユニットは、例えばファイル形式のプレゼンテーション（例えばパワーポイント形式によるもの）を再生してもよく、続いて当該プレゼンテーションは、ディスプレイ・ユニットによって表示される。
【０００７】
本発明により、ディスプレイ・ユニットによって表示された画像についての表現は、携帯用装置に送信され、そこでディスプレイ・ユニットによって表示される。
【０００８】
当該携帯用装置は携帯可能であること、つまり、例えばプレゼンテーションを使用して講義を行なうユーザが、手で持ち容易に扱うことが可能であることを、特に特徴とする。携帯用装置として、エネルギー供給源又はデータ送信のためのケーブル接続はなされない。携帯用装置は、例えば無線通信、赤外線ユニット等によるワイヤレスのデータ送信用のインターフェイスを有する。当該携帯用装置は望ましくは、ＰＤＡ（パーソナル・デジタル端末）、つまりディスプレイ・ユニット、メモリ、中央ユニット及び入力手段（例えばキー及び／又はタッチ画面）を有するミニコンピュータである。あるいは、例えば適切な携帯電話機であってもよい。
【０００９】
画像表示装置において、ディスプレイ・ユニット上に画像が表示される際、以前に表示された画像の表現が生成され、その表現はワイヤレスで本装置の表示用の携帯用装置に送信される。これは望ましくは、例えばＰＤＡディスプレイ画面などのために、適切に低減された解像度を有する画像ファイルであり、表現は携帯用装置上に適切な方法で表示されうる。
【００１０】
このフィードバックの形式によって、ユーザによるディスプレイ・システムの操作が非常に快適なものとなる。携帯用装置を活用してユーザは、例えば以前に表示された画像を見ながらプレゼンテーションの再生を管理できる。画像に加えて、例えばユーザを支援するための注記等のデータを携帯用装置に表示させることができる。かかる追加情報は、プレゼンテーション内に有されていてもよいが、ディスプレイ機器によって表示されずに携帯用装置への送信のみが行なわれる。
【００１１】
本発明の更なる実施例に従って、画像表示装置はネットワークに接続される。一方、これはワイヤレスのネットワークであってもよく、本発明によりネットワークは、携帯用装置と画像表示装置との間にワイヤレスの接続も有する。対応するワイヤレスのネットワークは、当業者に既知である。同様に、画像表示装置は、ネットワークにケーブルで接続されていてもよい。ケーブルで接続された機器構成は、通常は、比較的大容量のデータの高速送信用のブロードバンド接続の実現をより容易にする。当初は、携帯用装置は望ましくはプレゼンテーションのデータそのものは送信せず、画像表示装置にプレゼンテーションを再生するよう指示を出し、そのアドレスは指示とともにネットワーク内に送信される。携帯用装置は例えば、画像表示装置の再生ユニットに指示を出し、ＵＲＬ（Ｕｎｉｆｏｒｍ  Ｒｅｓｏｕｒｃｅ  Ｌｏｃａｔｏｒ）によって指定されたネットワーク内のファイル及びそのファイルの再生を要求する。
【００１２】
再生されるファイルは、携帯用装置上で表示されてもよい。装置によって送信されたＵＲＬは、ワイヤレスのネットワークにて携帯用装置によって提供されうるリソースを指定する。あるいは、再生されるファイルは、ネットワークに接続された更なる装置に表示されてもよい。これは例えば、社内情報通信網におけるサーバでありうる。しかしながら、画像表示装置のネットワーク接続が、例えば、インターネット等のより広帯域ネットワークへのアクセスを有する場合、携帯用装置は画像再生装置に、適切なＵＲＬによって指定可能ないかなるファイルでも、ネットに接続された装置にて再生するよう指示することができる。これは、相当なデータ量を使用しうるプレゼンテーションのデータを、通常は比較的小さいメモリを使用して実行される携帯用装置に格納する必要がない、という利点を有する。更なる利点は、例えば従来のネットワーク・ケーブルを介する、ローカル・ネットワークへの画像表示装置の可能なブロードバンド接続である。この場合、膨大なプレゼンテーションのデータは、ワイヤレスのネットワークを介して送信される必要がない。
【００１３】
本発明の更なる実施例により、複数のプレゼンテーションが同時に表示されることが可能である。これは、例えば２つの異なる言語でのプレゼンテーションの同時表示に有用である。このために、携帯用装置は、画像表示装置によって表示された画像は分割され、異なるプレゼンテーションが、重ね合わされた及び／又は並べられた構成で同時に表示される。一方、携帯用装置は、続いて複数のプレゼンテーションを開始及び／又は制御することができる。しかしながら、一方では、複数の携帯用装置が１つの画像表示装置に接続されてもよく、１つ又はそれ以上のプレゼンテーションを夫々開始及び／又は制御してもよい。
【発明を実施するための最良の形態】
【００１４】
本発明の前記の及び他の面について、これより詳述する実施例を参照しながら解明及び表現する。
【００１５】
図１は、ディスプレイ・システム１０の第１の実施例を象徴的に示す。システム１０は、ワイヤレス・ネットワーク１６に結合された投影機１２と携帯用装置１４とを有する。
【００１６】
携帯用装置１４はＰＤＡ、つまり例えば持ち運びができ、手で操作可能な、タッチ画面として形成されたディスプレイ１８やなんらかのキー２０を備えたミニコンピュータである。
【００１７】
図２に象徴的に図示されるとおり、投影機１２は、再生ユニット２２及び表示ユニット２４を有する。再生ユニット２２は、例えばブルートゥース（登録商標）標準に基づくワイヤレスのネットワーク用の送信器／受信器２６に接続される。再生ユニットは、コンピュータと同様に、オペレーティング・プログラムが実行される中央ユニットを有する。とりわけオペレーティング・プログラムは、例えばパワーポイント形式で格納されたプレゼンテーション・ファイルを再生し、これらのファイルより画像を生成する能力を有している。再生ユニット２２によって生成された出力は、ＶＧＡ信号としてディスプレイ・ユニット２４に供給され、それは供給された画像を投影する。
【００１８】
以下、図１を参照しながら、投影機１２におけるプレゼンテーションの再生を詳述する。第１の実施例では、プレゼンテーション・ファイルはＰＤＡ１４のメモリに格納される。ＰＤＡ１４の対応するプログラムが呼び出される際、ローカルの無線ネットワーク１６の範囲内で、プレゼンテーションを再生する装置を探す。かかる動作は、投影機１２の再生ユニット２２によって提供可能であり、ＰＤＡ１４への対応するフィードバックは、ワイヤレスのネットワーク１６を介して供給される。
【００１９】
ここでＰＤＡ１４は、投影機１２にネットワーク上のＵＲＬを知らせ、それによってプレゼンテーション・ファイルが読み込み及び再生されるべきである。図１の例では、このＵＲＬは、ワイヤレスのネットワーク１６においてＰＤＡ１４によって供給された源を指定する。投影機１２は、ネットワーク１６を介してリソースにアクセスできる。再生ユニット２２は、第１の画像を投影するディスプレイ・ユニット２４を使用してプレゼンテーション・ファイルを再生する。
【００２０】
同時に、画像ファイルは投影機１２にて生成され、その画像ファイルはディスプレイ・ユニット２４によって投影機される画像の表現である。当該画像ファイルは、ネットワーク１６におけるネットワークリソースとして供給される。ＰＤＡ１４の対応するプログラムが、供給された画像ファイルを呼び出し、それをディスプレイ１８に表示する。
【００２１】
ユーザは、ＰＤＡ１４を介してプレゼンテーションのプロセスを制御する。キー２０又はタッチ画面ディスプレイ１８の対応する領域を介して、“次の画像へ”又は“前の画像へ”というコマンドが与えられうる。これらのコマンドは、ワイヤレスのネットワーク１６を介して、投影機１２の再生ユニット２２へ送信される。
【００２２】
図３もまた、投影機１２及びＰＤＡ１４とともに、ディスプレイ・システム３０の第２の実施例を象徴的に図示する。第１の実施例とは対照的に、投影機１２は有線のネットワーク接続３２を有する。投影機１２は、ネットワーク接続３２を介して例えば社内ネットワークに接続され、したがって接続されている全てのコンピュータに接続する。同様に、ネットワーク接続３２は、投影機１２をインターネットに接続させることができ、そのため投影機１２はインターネットを介して接続されているいかなるコンピュータにもアクセスしうる。図３は、例えば、ネットワーク接続３２を介して公開されたプレゼンテーション・ファイルが格納されている、一つのデータ・メモリ３４（例えばファイル・サーバ）を図示する。
【００２３】
第１の実施例と同様に、ＰＤＡ１４は、投影機１２にプレゼンテーションの再生をするコマンドを送信する。しかしながら、プレゼンテーション・ファイルの送信されたＵＲＬは、この場合はデータ・メモリ３４を指定する。ネットワーク接続３２を介して、投影機１２は、ＵＲＬによってアドレス可能であり、且つ、ネットワークのデータ・メモリ３４によって供給されたファイルにアクセスし、このファイルを再生する。ここでまた、ディスプレイ・ユニット２４によって現在投影されている画像は、ワイヤレスのネットワーク１６上で画像ファイルの形式で提供される。ＰＤＡ１４で実行されるプログラムは、この画像ファイルを呼び出し、ディスプレイ１８にそれを表示する。
【００２４】
いずれの実施例におけるワイヤレスのネットワーク１６の組織も、ＰＤＡ１４および投影機１２によって送られるメッセージを介して実現される。ワイヤレスのネットワーク１６はアドホックなネットワークであり、つまり対応する送信機及び受信機が夫々の範囲内に設置されるとすぐに、対応する構成が自動的に形成される。この場合、複数の携帯用装置及び／又は複数の投影機が、ネットワークの一部になりうる。
【００２５】
ネットワークを組織し且つプレゼンテーションの再生を制御するためには、以下のメッセージが使用される。
【００２６】
Search(Projector,  RoomID)
ＰＤＡは、このメッセージを全ての関与者に送信し（“ブロードキャスト”）、“投影機(Projector)”タイプの装置を検索(Search)するよう伝達する。任意で、更なる検索規準として、ルーム番号(RoomID)が指定される。
【００２７】
Search_Response(UserInterfaceURL)
装置が検索規準を満たす場合、要求しているＰＤＡにこのメッセージによって応答する。ＵＲＬは、パラメータとして、投影機のグラフィックに有用な面に送信される。
【００２８】
GetDocument  (URL)
ＵＲＬ特定文書を送信するように、ＵＲＬを介して特定されたウェブ・サーバへ要求。
【００２９】
GetDocument_Reponse(Document)
ウェブ・サーバは、要求された文書を供給する。
【００３０】
OpenPresentation(PresentationURL)
ＰＤＡは投影機に、表示されるプレゼンテーションのＵＲＬを知らせる。投影機は、新しいプレゼンテーションのウィンドウを生成する。プレゼンテーションのウィンドウがすでに存在する場合、投影機は全てのウィンドウの大きさと位置を、全てのウィンドウが並置された構成で表示される方法及び利用可能な投影面が最適に活用される方法で調整する。
【００３１】
OpenPresentation_Response(PresentationID)  
応答するにあたり、投影機はＩＤ番号を供給し、これを介して、関連するプレゼンテーションのウィンドウがはっきりと確認できる。
【００３２】
NextSlide(PresentationID),  PreviousSlide(PresentationID)
ＰＤＡは、このメッセージを投影機に送り、プレゼンテーションＩＤによってはっきりと決定したウィンドウにおいて次の(NextSlide)又は前の(PreviousSlide)シートへと変える。
【００３３】
OnViewChanged(PresenationID,  ViewURL)  
投影機は、ＰＤＡに、プレゼンテーションＩＤを介してはっきりと決定されたプレゼンテーションのウィンドウの内容が変わったことを伝達する。ViewURLは、ＰＤＡがユーザに表示しうる投影機によって生成されたウェブページに表示される。このウェブページは、縮小形式で表示されたシートを、例えば、メモ、シート番号、経過時間などの見込まれる更なる情報とともに即座に表示する。投影機で実行されているアプリケーションによって、対応する情報を備えた新しいウェブページを、ユーザが他のシートに変えるとすぐに生成することができる。ＰＤＡは、ウェブページ表示用の内蔵ウェブ・ブラウザ機能を有する。
【００３４】
以下、ユーザが投影機にプレゼンテーションを表示する際の第１のシナリオのプロセスを詳述する。
【００３５】
このために、ユーザは、Search  (Projector)というメッセージを使用して適切な投影機を最初に検索するＰＤＡの対応するアプリケーションを作動させる。投影機１２は、Search_Response(UserInterfaceURL)を使用して応答する。OpenPresentation(PresentationURL)を使用して、ＰＤＡはネットワーク上に再生されるべきプレゼンテーション・ファイルのＵＲＬを送信する。投影機１２は、プレゼンテーションに識別情報を割り当て、OpenPresentation_Response(PresentationID)によりそれを送信する。
【００３６】
再生ユニット２２は、プレゼンテーション・ファイルを再生し、ディスプレイ・ユニット２４を介してプレゼンテーションの第１の画像を表示する。同時に、表示された画像の縮小表示の画像ファイルが生成される。OnViewChanged(PresenationID,  ViewURL)ネットワーク・メッセージを介して、グラフィック・ファイルのＵＲＬが知らされる。ＰＤＡのアプリケーションはこのグラフィック・ファイルをGetDocument(URL)を使用して呼び出し、呼び出されるとすぐに、このファイルはOpenPresentation(PresentationURL)を使用して供給され、ＰＤＡによってディスプレイ１８に表示される。
【００３７】
キー２０を押す又はタッチ画面１８の対応する領域を押すことによって、次の画像を表示するよう指示された再生ユニット２２を介して、ユーザはNextSlide  (PresentationID)メッセージを作動させる。この画像の縮小表示がまた生成され、そのＵＲＬはネットワーク１６を介して知らされる（OnViewChanged）。この方法で、プレゼンテーションは最後まで再生される。
【００３８】
第２のシナリオでは、ユーザは同時に複数のプレゼンテーションを再生してもよい。上述した第１のシナリオとは対照的に、２つのメッセージOpenPresentation  (PresentationURL1)及びOpenPresentation(PresentationURL2)が、二つのアドレスを伴って次々と送信される。投影機１２は、その後すぐに、ディスプレイ領域を分割し、重ね合わされた及び／又は並べられた構成で、当該２つのプレゼンテーションを表示する。あるいは、メッセージの交換が上述されたとおりに実現される。
【００３９】
更なるシナリオでは、無線ネットワーク１６に接続されているＰＤＡを夫々操作している異なるユーザが、同時に複数のプレゼンテーションを再生する。これは、第２のシナリオと類似する方法で進行し、OpenPresentation  (PresentationURL1)及びOpenPresentation(PresentationURL2)のメッセージは、この場合は、異なるＰＤＡに送信される。
【００４０】
図４は、一例として、ＰＤＡ１４のディスプレイ１８を示すものである。ディスプレイ１８の上部領域では、画像（ここでは１０ページ中３ページ目）が現在表示している画像を示す。更に、プレゼンテーションの開始又は画像の変更から経過した時間を示す時計が挿入される。
【００４１】
ディスプレイ画面の下部領域には、投影機１２によって以前に表示された画像が、縮小形式で示される。その下には関連した注記が示される。これらの注記はＰＤＡに格納されていてもよく、また、プレゼンテーションの画像に関連付けられていてもよい。しかしながら、表示されるプレゼンテーション・ファイル内に注記が含まれていてもよい。この場合、これらの注記は縮小されたグラフを伴って、投影機１２によって生成されるウェブ・ページ上に配置され、そのＵＲＬはOnViewChangedメッセージを使用して明らかにされる。
【００４２】
上記のメッセージに加えて更なるメッセージが、更なる機能を稼動させるために使用されうる。例えば、プレゼンテーションの複数の画像を、重ね合わされた及び／又は並べられた構成にて同時に表示することが所望されうる。これは、例えば個別の画像に対する質問が講義の最後になされた場合に、プレゼンテーションの画像が一緒に再度表示されるという目的に有効になりうる。この機能は、ChangeNumberOfSlides  (PresentationID,n)メッセージを介して実行されることも可能であり、これによって投影機に、関連するプレゼンテーションに関していくつの画像が同時に表示されるべきかを伝達する。従って、NextSlide及びPreviousSlideメッセージは、投影機に毎回次のnの画像を表示させる。
【００４３】
最後に、ディスプレイ１８の下部領域は、プレゼンテーションのプロセスを制御するために使われるゾーンを示す。これらのゾーンはボタンで表されてもよいが、前の又は次の画像の縮小形式によってゾーンを表すこともまた可能である。
【００４４】
ＰＤＡ１４のディスプレイは様々であってよい。例えば異なるモード間での切換えが可能であり、画像モードでは投影機１２によって表示された画像は比較的大きく、関連した注記はより小さい形式で表示される。注記モードでは注記はより大きい形式で、画像はより小さい形式で表示される。
【図面の簡単な説明】
【００４５】
【図１】ディスプレイ・システムの第１の実施例を図示したものである。
【図２】図１に示される画像表示装置を図示したものである。
【図３】ディスプレイ・システムの第２の実施例を図示したものである。
【図４】携帯用装置の立面図である。
【図１】
2005538638.tif 000003
【図２】
2005538638.tif 000004
【図３】
2005538638.tif 000005
【図４】
2005538638.tif 000006
【国際調査報告】
2005538638.tif 000007
2005538638.tif 000008
2005538638.tif 000009